(57)【特許請求の範囲】
【請求項１】
リモートコントロール端末からの操作指示によって制御可能な情報記録再生装置であって、
所望のコンテンツデータの番組情報を、前記リモートコントロール端末に設けられた所定のキーと対応付けて登録する番組情報登録手段と、
前記番組情報登録手段により登録されたコンテンツデータの番組情報に従って、前記所望のコンテンツデータを記録媒体に記録するデータ記録手段と、
装置本体の電源がオフのときに、前記所定のキーが操作された旨の信号を前記リモートコントロール端末から受信した場合には、前記所定のキーに対応付けられたコンテンツデータを前記記録媒体から検索し、再生するデータ再生手段と、
を有し、
前記番組情報登録手段は、
前記所望のコンテンツデータの番組情報と前記所定のキーとの対応付けに加えて、前記所望のコンテンツデータを再生するための条件を登録可能であり、
前記データ再生手段は、
前記記録媒体に記録された前記所望のコンテンツデータのうち、前記所定のキーに対応付けられた未再生の最新の番組を再生することを特徴とする情報記録再生装置。
【請求項２】
リモートコントロール端末からの操作指示によって制御可能な情報記録再生装置であって、
所望のコンテンツデータの番組情報を、前記リモートコントロール端末に設けられた所定のキーと対応付けて登録する番組情報登録手段と、
前記番組情報登録手段により登録されたコンテンツデータの番組情報に従って、前記所望のコンテンツデータを記録媒体に記録するデータ記録手段と、
装置本体の電源がオフのときに、前記所定のキーが操作された旨の信号を前記リモートコントロール端末から受信した場合には、前記所定のキーに対応付けられたコンテンツデータを前記記録媒体から検索し、再生するデータ再生手段と、
を有し、
前記番組情報登録手段は、
前記所望のコンテンツデータの番組情報と前記所定のキーとの対応付けに加えて、前記所望のコンテンツデータを再生するための条件を登録可能であり、
前記データ再生手段は、
前記記録媒体に記録された前記所望のコンテンツデータのうち、前記所定のキーに対応付けられた未再生のコンテンツデータを複数検出したときには、複数のコンテンツデータの番組情報を情報出力装置に一覧表示させ、この一覧表示の中から選択されたコンテンツデータを再生することを特徴とする情報記録再生装置。
【請求項３】
前記データ再生手段は、
再生されるコンテンツデータのタイトル名を前記リモートコントロール端末又は前記装置本体の情報表示部に表示し、表示されたタイトルを再生する旨の信号を前記リモートコントロール端末から受信したときには、当該コンテンツデータを再生することを特徴とする請求項１又は２記載の情報記録再生装置。
【発明の詳細な説明】
【技術分野】
【０００１】
本発明は、記録媒体への情報の記録と当該記録媒体からの情報の再生が可能な情報記録再生装置に関する。
【背景技術】
【０００２】
昨今の情報記録再生装置、例えば、ＤＶＤ（Digital Versatile Disk）レコーダーは、大容量のハードディスクを備えているので、ハードディスク上に多数のコンテンツデータ（映像データ、音声データ等を含むマルチメディアデータ；例えば、ＴＶ放送のデータ）を記録することが可能となっている。【０００３】
通常、ユーザは、自分が記録した数多くの番組から所望の番組を選んで再生する際には、まず、情報記録再生装置の電源を起動させて、ＴＶなどの情報出力装置にタイトルリストを表示し、表示されたタイトルリストの中から所望の番組を選択し、再生する。しかしながら、このような一連の再生操作は、操作ステップが多く、煩わしく感じるユーザも多い。【０００４】
そのため、例えば、リモコンに映像の種類に対応したボタン（例えば、アニメ、スポーツ、ニュース、ドラマなど）を新たに設け、情報記録再生装置が起動中に当該ボタンを押下すると、当該ボタンに対応付けられた映像を自動再生して、再生操作を簡単にする情報記録再生装置が提案されている（例えば、特許文献１参照。）。【０００５】
【特許文献１】特開２００１−１２８０９３号公報
【発明の開示】
【発明が解決しようとする課題】
【０００６】
しかしながら、上述したリモコンに映像の種類に対応したボタンを設けた情報記録再生装置においては、所望のジャンルの番組が再生されるのであって、所望の番組が必ずしも再生されるものではない。【０００７】
また、この場合の再生操作は、情報記録再生装置の電源が起動しているときに有効となるものであって、情報記録再生装置の電源が起動していないときには、電源を立ち上げるという操作も別途、必要となる。【０００８】
本発明は、上記の問題を解決するためになされたものであり、その課題の一例としては、簡単な操作で所望の番組の再生が可能である情報記録再生装置を提供することにある。
【課題を解決するための手段】
【０００９】
上記の課題を達成するため、請求項１記載の情報記録再生装置は、リモートコントロール端末からの操作指示によって制御可能な情報記録再生装置であって、所望のコンテンツデータの番組情報を、前記リモートコントロール端末に設けられた所定のキーと対応付けて登録する番組情報登録手段と、前記番組情報登録手段により登録されたコンテンツデータの番組情報に従って、前記所望のコンテンツデータを記録媒体に記録するデータ記録手段と、装置本体の電源がオフのときに、前記所定のキーが操作された旨の信号を前記リモートコントロール端末から受信した場合には、前記所定のキーに対応付けられたコンテンツデータを前記記録媒体から検索し、再生するデータ再生手段と、を有し、前記番組情報登録手段は、前記所望のコンテンツデータの番組情報と前記所定のキーとの対応付けに加えて、前記所望のコンテンツデータを再生するための条件を登録可能であり、前記データ再生手段は、前記記録媒体に記録された前記所望のコンテンツデータのうち、前記所定のキーに対応付けられた未再生の最新の番組を再生することを特徴とする。
【００１０】
請求項２記載の情報記録再生装置は、リモートコントロール端末からの操作指示によって制御可能な情報記録再生装置であって、所望のコンテンツデータの番組情報を、前記リモートコントロール端末に設けられた所定のキーと対応付けて登録する番組情報登録手段と、前記番組情報登録手段により登録されたコンテンツデータの番組情報に従って、前記所望のコンテンツデータを記録媒体に記録するデータ記録手段と、装置本体の電源がオフのときに、前記所定のキーが操作された旨の信号を前記リモートコントロール端末から受信した場合には、前記所定のキーに対応付けられたコンテンツデータを前記記録媒体から検索し、再生するデータ再生手段と、を有し、前記番組情報登録手段は、前記所望のコンテンツデータの番組情報と前記所定のキーとの対応付けに加えて、前記所望のコンテンツデータを再生するための条件を登録可能であり、前記データ再生手段は、前記記録媒体に記録された前記所望のコンテンツデータのうち、前記所定のキーに対応付けられた未再生のコンテンツデータを複数検出したときには、複数のコンテンツデータの番組情報を情報出力装置に一覧表示させ、この一覧表示の中から選択されたコンテンツデータを再生することを特徴とする。
【図面の簡単な説明】
【００１１】
【図１】本発明の第１の実施の形態に係る情報記録再生システムの概略構成図である。
【図２】本発明の第１の実施の形態に係る情報記録再生装置の予約登録処理を示すフローチャートである。
【図３】本発明の第１の実施の形態に係る情報記録再生装置において記憶される予約情報及び検索キー情報のデータ構成の一例である。
【図４】本発明の第１の実施の形態に係る情報記録再生装置の予約入力画面の一例である。
【図５】本発明の第１の実施の形態に係る情報記録再生装置の本体電源オフ時の動作を示すフローチャートである。
【図６】本発明の第１の実施の形態に係る情報記録再生装置の変形例における本体電源オフ時のタイトル再生の動作を示すフローチャートである。
【図７】本発明の第２の実施の形態に係る情報記録再生装置の本体電源オフ時の動作を示すフローチャートである。
【符号の説明】
【００１２】
１  情報記録再生装置
２  情報出力装置
２１  音声出力部
２２  表示部
１０  情報記録再生システム
１１０  通信部
１２０  ＤＥＭＵＸ
１３０  デコーダ
１４０  記録再生処理部
１５０  ＨＤＤ
１６０  入力部
１７０  システム制御部
１７１  メインＣＰＵ
１７２，１７４  メモリ
１７３  サブＣＰＵ
１８０  タイマー
【発明を実施するための最良の形態】
【００１３】
以下、本発明の実施の形態を図面を用いて説明する。【００１４】
図１は、本発明の第１の実施の形態に係る情報記録再生装置１、及び情報記録再生装置１と接続された情報出力装置２から構成される情報記録再生システム１０の概略構成図である。図１に示す情報記録再生システム１０は、テレビ放送番組のコンテンツデータ(音声データ、映像データ、及びデータ放送用データなどからなる)を受信して、受信したテレビ放送番組のコンテンツデータを記録及び再生するシステムである。ここで、「テレビ放送番組」とは、地上波（アナログ又はデジタル）、ＢＳ（Broadcasting Satelite；アナログ又はデジタル）、ＣＳ（Communication Satellite）などにより放送されるテレビ番組を意味する。また、「テレビ放送番組のコンテンツデータの受信」とは、コンテンツデータを直接、又は、インターネットやＣＡＴＶ（Cable Television）等の回線を経由して受信することを意味する。【００１５】
情報記録再生装置１は、例えば、具体的には、ＤＶＤ（Digital Versatile Disk）レコーダー、ＢＤ（Blu-ray Disc）レコーダー、ＨＤＤ（Hard Disk Drive）レコーダーが想定され、テレビ放送番組のコンテンツデータを受信して記録するとともに、記録したコンテンツデータを情報表示装置２に出力するようになっている。なお、情報記録再生装置１は、上述した装置に限定されず、将来において開発され、さらに大容量のコンテンツデータを記録再生する記録再生装置にも適用できるものである。【００１６】
情報記録再生装置１は、詳しくは、通信部１１０、デマルチプレクサ（Demultiplexer；Ｄｅｍｕｘ）１２０、デコーダ１３０、記録再生処理部１４０、ハードディスク（Hard Disk Drive；ＨＤＤ）１５０、入力部１６０、システム制御部１７０、及びタイマー１８０を備えている。【００１７】
通信部１１０は、ＴＳ（Transport Stream）として配信されるコンテンツデータを外部から入力して取得したり、取得しているコンテンツデータを外部へ出力するようになっている。テレビ放送番組のコンテンツデータもアンテナ１１０Ａを介して取得される。また、通信部１１０は、取得したコンテンツデータをＤｅｍｕｘ１２０に出力するようになっている。【００１８】
Ｄｅｍｕｘ１２０は、取得したコンテンツデータのＴＳからＴＳパケットを分離して出力するようになっている。詳しくは、音声データが組み込まれたＴＳパケット（以下、音声パケットと称す）、映像データが組み込まれたＴＳパケット（以下、映像パケットと称す）、データ放送用データまたはＥＰＧ（Electronic Program Guide）データなどが組み込まれたＴＳパケット（以下、データパケットと称す）をデコーダ１３０へ出力するようになっている。また、Ｄｅｍｕｘ１２０は、各ＴＳパケットを取得すると、これら各ＴＳパケットを一連のデータ列構造のＴＳ、すなわちパーシャルＴＳに再構成して、記録再生処理部１４０へ出力するようになっている。【００１９】
デコーダ１３０は、Ｄｅｍｕｘ１２０からから取得した各パケットを復調し、情報出力装置２に出力するようになっている。なお、デコーダ１３０は、詳しくは、オーディオデコーダ（音声データを復調）、ビデオデコーダ（映像データを復調）及びデータデコーダ（データ放送用データ、ＥＰＧデータなどを復調）を備えている。【００２０】
記録再生処理部１４０は、Ｄｅｍｕｘ１２０からパーシャルＴＳを取得して、ＨＤＤ１５０へ記憶させるようになっている。【００２１】
入力部１６０は、図示しない本体の各種操作ボタン、及び図示しないリモートコントロール端末（以下、リモコンと称す）の各種操作ボタンを備えており、この操作ボタンにより、情報記録再生装置１の動作内容が設定される。例えば、コンテンツデータの録画や再生に関する設定が可能である。本実施の形態においては、入力部１６０はリモコンを備える構成なので、入力部１６０は、リモコンより赤外線を介して送信される各種情報を受信して、この各種情報を操作信号としてシステム制御部１７０へ送信するようになっている。なお、入力部１６０としては、通信ネットワークを介したインターフェースでもよく、通信ネットワークから各種情報を受信可能としてもよい。【００２２】
ＨＤＤ１５０は、本実施の形態においては、コンテンツデータを記録する記録媒体として設定されているが、ＨＤＤ１５０の代わりにＤＶＤなどの光ディスクが記録媒体として設定されてもよい。【００２３】
システム制御部１７０は、情報記録再生装置１全体の制御を行っており、具体的には、システム制御部１７０の内部には、演算・制御処理の主体となるメインＣＰＵ１７１と、所定の制御プログラムが記録されたＲＯＭ、ワークエリアなどとして利用されるＲＡＭ等により構成されるメモリ１７２と、が設けられている。【００２４】
なお、本実施の形態においては、メインＣＰＵ１７１及びメモリ１７２の他、サブＣＰＵ１７３及びメモリ１７４を備えている。ここで、メインＣＰＵ１７１は、情報記録再生装置１の装置本体の電源がオンの状態のときに動作するＣＰＵであり、サブＣＰＵ１７３は、情報記録再生装置１の装置本体の電源がオフのときでも、動作するＣＰＵとなっている。また、サブＣＰＵ１７３は、入力部１６０からの操作信号を検知して、当該操作信号に応じた制御を行うようになっている。すなわち、サブＣＰＵ１７３は、情報記録再生装置１の本体の電源がオフのときでも、リモコンから送信される操作信号を受信可能とし、受信した操作信号に応じた制御を可能としている。また、サブＣＰＵ１７３は、タイマー１８０と接続され、時間情報が取得可能となっている。メモリ１７４は、サブＣＰＵ１７３が用いるメモリである。【００２５】
詳しくは、本実施の形態では、システム制御部１７０は、番組の予約登録時に、録画する番組（タイトル名）とリモコンに設けられた所定のキー（例えば、１０キーなど。以下、一発再生ボタンともいう）を対応付けて記憶させる制御を行うとともに、情報記録再生装置１の本体の電源がオフのときに、リモコンに設けられた一発再生ボタンの操作信号を受信したときには、一発再生ボタンと対応付けられた最新の番組を検索し、再生する制御を行うようになっている。【００２６】
これにより、情報記録再生装置１では、以下のような機能を備えることとなる。【００２７】
すなわち、ユーザが録画したい所望の番組があるときには、予め当該番組の録画予約をするときに、予約情報（例えば、タイトル名、チャンネル、時間など）を設定するととともに、一発再生ボタン（例えば、１０キーのいずれか）を当該番組に割り当てる設定をしておく。これにより、番組のタイトル名と一発再生ボタンのキーが1対１に対応付けられる。そして、情報記録再生装置１が予約情報に基づいて所望の番組のコンテンツデータを録画した後に、ユーザは、情報記録再生装置１の本体の電源がオフの状態で、一発再生ボタンを操作する。リモコンから一発再生ボタンの操作信号を受信した情報記録再生装置１は、電源を立ち上げ、一発再生ボタンに対応付けられた当該番組を検索し、所望の番組のコンテンツデータを自動的に再生する。このように、本実施の形態では、情報記録再生装置１の本体の電源がオフの状態で、一発再生ボタンを操作するだけで、所望の番組を簡単に再生することができる。【００２８】
特に、本実施の形態では、同一タイトル名の番組に関しては、最新の番組が再生されるようになっているので、連続ドラマなど定期的に放送される番組（毎週、毎日など）には最適である。なぜなら、定期的に放送される番組に関しては、１回の一発再生ボタンのキー設定作業で、複数回（少なくともシリーズ回数分）のコンテンツデータの視聴が可能となるからである。勿論、定期的に放送される番組だけでなく、単発番組にも適用できることは言うまでもなく、この場合においても再生操作の煩わしさは解消される。【００２９】
情報出力装置２は、例えば、具体的には、テレビジョンやパーソナルコンピュータなどが想定され、情報記録再生装置１から出力されるコンテンツデータを受信して出力するようになっている。【００３０】
情報出力装置２は、音声出力部２１と、表示部２２を備える構成である。音声出力部２１は、例えば、スピーカなどで構成され、情報記録再生装置１から送信される音声データを出力する機能を有する。表示部２２は、例えば、液晶表示パネル、有機ＥＬ（Electro Luminescence）パネル、ＰＤＰ（Plasma Display Panel）、ＣＲＴ（Cathode-Ray Tube）などで構成され、情報記録再生装置１から送信される映像データを出力する機能を有する。なお、映像データとしては、コンテンツデータの他、情報記録再生装置１のＯＳＤ（On Screen Display）機能による各種情報（番組表、番組予約情報、タイトルリストなど）などが出力される。【００３１】
次に、図２乃至図５を用いて、本実施の形態に係る情報記録再生装置１の動作について説明する。ここで、図２は、情報記録再生装置１の予約登録処理を示すフローチャートであり、図３は、メモリに記憶される予約情報及び検索キー情報のデータ構成を示す図であり、図４は、テレビ放送番組を予約録画する際の予約入力画面を示す図である。また、図５は、装置本体が電源終了時の情報記録再生装置１の動作を示すフローチャートである。尚、図２及び図５に示す処理は、システム制御部１７のメインＣＰＵ１７１又はサブＣＰＵ１７３によって行われるものである。【００３２】
まず、図２を参照して、所望のテレビ放送番組を情報記録再生装置１に録画するための予約登録処理について説明する。【００３３】
テレビ放送番組の予約登録をするときには、例えば、ユーザは、図４に示すような予約入力画面ｄｉｓ１０で予約情報（番組名、チャンネル、日付、開始時間、終了時間などの番組情報、録画先、録画モードなどの各種設定情報）を入力するので、これにより、情報記録再生装置１は予約情報を設定する（ステップＳ１０）。【００３４】
また、これに加えて、ユーザは一発再生ボタンの設定をする。これは、予約登録するテレビ番組と、リモコンに設けられた一発再生ボタン（例えば、１０キーなど）を対応付ける処理であり、図４に示す例においては、当該予約番組に「５」のキーを割り当てている（図４のＩ１参照）。これにより、情報記録再生装置１は、一発再生ボタン（具体的には、一発再生ボタンを一意に識別可能なキー番号）を録画するテレビ番組のタイトル名と対応付けて設定する（ステップＳ２０）。【００３５】
すなわち、ユーザが予約登録処理を行うと、サブＣＰＵ１７３は、図３（ａ）に示すような予約情報ｄ１０（一発再生ボタンのキー番号と録画するテレビ放送番組のタイトル名が対応付けられている）をメモリ１７４上に記憶させる。なお、録画したいテレビ放送番組が複数ある場合には、上述した予約登録処理（ステップＳ１０，Ｓ２０）を繰り返す。【００３６】
予約登録処理後、情報記録再生装置１は、予約情報に従って所望のテレビ放送番組を記録媒体（ＨＤＤ１５０）上に録画する。そして、情報記録再生装置１が予約情報に従って、所望のテレビ放送番組を記録媒体（ＨＤＤ１５０）上に録画したときには、ＣＰＵ１７１は、キー番号と録画したテレビ放送番組のタイトル名を対応付けた検索キー情報ｄ２０をメモリ１７２上に記憶させる。【００３７】
次に、図５を参照して、情報記録再生装置１の装置本体の電源がオフの状態で、リモコンから操作信号を受信したときの情報記録再生装置１の動作について説明する。【００３８】
サブＣＰＵ１７３は、リモコンからの操作信号を受信すると（ステップＳ１１０）、操作信号が登録されたリモコンキーの操作であるかを判定する（ステップＳ１２０）。これは、操作されたリモコンのキーが予約登録処理の際に一発再生ボタンとして登録されたキーであるか否かを判定するものである。一発再生ボタンとして登録されたボタンであるときには、サブＣＰＵ１７３は、情報記録再生装置１の装置本体の電源を起動させ、メインＣＰＵ１７１を動作可能とする（ステップＳ１３０）。【００３９】
次に、サブＣＰＵ１７３は、メインＣＰＵ１７１にコンテンツデータを再生する指示と操作されたリモコンのキー番号を送信する（ステップＳ１４０）。これにより、メインＣＰＵ１７１は、受信したキー番号から、メモリ１７２に記憶された検索キー情報ｄ２０を参照して、再生するテレビ放送番組のタイトル名を決定し、当該タイトル名を有する最新のコンテンツデータをＨＤＤ１５０から探し出し、再生する（ステップＳ１５０）。【００４０】
これに対して、リモコンからの操作信号が、一発再生ボタンとして登録されたキーでないときには、サブＣＰＵ１７３は、操作信号が電源ボタンの操作であるか否かを判定する（ステップＳ１６０）。操作されたキーが電源ボタンであるときは、サブＣＰＵ１７３は、情報記録再生装置１の装置本体の電源を起動させ、メインＣＰＵ１７１を動作可能とする（ステップＳ１７０）。一方、操作されたキーが電源ボタンでないときは、処理を終了する。【００４１】
従って、本実施の形態に係る情報記録再生装置１によれば、リモコンに設けられた所定のキーを一発再生ボタンとして、録画したい所望の番組と予め対応付けて記憶しているので、装置本体の電源がオフの状態であっても、所定のキーが操作されることで、装置本体の電源を立ち上げ、記録媒体から所望の番組のコンテンツデータを検索して、再生することができる。この結果、ユーザは、装置本体の電源がオフの状態において、リモコンの所定のキーを１回操作するという簡単な操作だけで、所望の番組のコンテンツデータを視聴することができる。【００４２】
また、本実施の形態に係る情報記録再生装置１によれば、所望の番組のうち、最新のコンテンツデータを自動的に再生するので、連続ドラマなどのように定期的に放送される番組（同一タイトル名のコンテンツ）に関しては、コンテンツの選択操作を必要とせず、容易に最新のコンテンツを視聴することができる。【００４３】
なお、本実施の形態においては、登録された一発再生ボタンが操作されたときには、この一発再生ボタンに割り当てられたタイトル名の最新のコンテンツデータを常に再生するように設定していたが、本発明の再生方法はこれに限定されるものではなく、他の再生方法、例えば、予約登録処理において、再生に関するより詳細な設定を可能として、当該設定に応じた再生方法とてもよい。例えば、一度視聴した番組を再度、再生するか否かに関する設定を設けてもよく、一発再生ボタンに割り当てられた最新のコンテンツデータが既に視聴（一度再生）されたときには、一発再生ボタンを操作しても最新のコンテンツデータを再生しないようにしてもよい。【００４４】
また、本実施の形態においては、一発再生ボタンの操作により、所望のコンテンツデータが再生される構成としたが、ユーザによるタイトル確認後に所望のコンテンツを再生するような構成としてもよい。例えば、リモコンの液晶表示部又は装置本体の液晶表示部のいずれかに、操作された一発再生ボタンに対応するコンテンツデータのタイトル名を表示し、ユーザが確認後、別の所定のボタンを操作することで、一発再生ボタンに対応するコンテンツデータを再生するようにしてもよい。これにより、操作手順が１つ増えるが、誤って一発再生ボタンを操作し、意図しないコンテンツを再生することを防止することができる。【００４５】
また、本実施の形態の変形例として、一発再生ボタンに割り当てられた未再生のコンテンツが複数存在するときには（例えば、同一コンテンツ名の連続ドラマの複数回分のコンテンツデータが記録媒体に記録されているが、この複数回分のコンテンツデータのいずれもが再生されていない）、該当するコンテンツデータの一覧を情報出力装置２の表示部２２に表示して、ユーザに所望のコンテンツデータを選択させるような再生方法としてもよい。【００４６】
図６は本実施の形態の変形例の情報記録再生装置１Ａの装置本体の電源終了時にリモコンから操作信号を受信したときの情報記録再生装置１Ａのコンテンツ再生処理を示すフローチャートである。なお、このコンテンツ再生処理は、図５のステップＳ１５０に相当する処理を示したものである。そして、本変形例の操作本体の電源終了時にリモコンから操作信号を受信したときの動作は、ステップＳ１５０に相当する処理だけが異なり、他のステップにおける処理は同一であるため、他のステップにおける処理に関しては、説明を省略する。【００４７】
ＣＰＵ１７１は、受信したキー番号から、メモリ１７２に記憶された検索キー情報ｄ２０を参照して、再生するテレビ放送番組のタイトル名を決定し、当該タイトル名を有する再生されていないコンテンツデータがＨＤＤ１５０上に複数存在するか否かを判定する（ステップＳ１５２）。【００４８】
キー番号に対応するタイトル名のコンテンツデータが複数存在するときには、ＣＰＵ１７１は、情報出力装置２の表示部２２にコンテンツ選択画面を表示し（ステップＳ１５２）、ユーザから選択されたコンテンツデータを再生する（ステップＳ１５６）。【００４９】
これに対して、キー番号に対応するタイトルのコンテンツデータが複数存在しない（該当するコンテンツデータが１つ）ときには、当該タイトル名を有する再生されていないコンテンツデータをＨＤＤ１５０から探し出し、再生する（ステップＳ１５８）。【００５０】
従って、本実施の形態の変形例に係る情報記録再生装置１Ａによれば、一発再生ボタンに割り当てた番組のコンテンツデータを複数回にわたって視聴しなかったときでも、視聴しなかったコンテンツデータの一覧を表示して、ユーザの選択を促し、ユーザによって選択されたコンテンツデータを再生するので、所望の番組を再生することができる（例えば、未視聴の連続ドラマなどでは、放送回が一番早いコンテンツデータを選択し、視聴することができる）。【００５１】
以上、本発明の実施の形態について説明してきたが、本発明の要旨を逸脱しない範囲において、本発明の実施の形態に対して種々の変形や変更を施すことができる。例えば、第１の実施の形態及びその変形例においては、リモコンを用いて簡単に所望のコンテンツデータを再生する方法を示したが、リモコンを用いないで、記録されたコンテンツデータの中から簡単に所望のコンテンツデータを再生するような方法であってもよい。【００５２】
この第２の実施の形態に係る情報記録再生装置１Ｂは、情報記録再生装置本体に所定のボタン（一押しマクロボタンと称する）を１又は複数設け、一押しマクロボタンと所望の番組のタイトル名を対応付けるとともに、所望の番組のコンテンツデータを録画後、本体の電源がオフのときに一押しマクロボタンが操作された場合には、一押しマクロボタンに対応付けられた所望の番組のコンテンツデータを再生するものである。【００５３】
図７を参照して、装置本体の電源終了時に一押しマクロボタンの操作信号を受信したときの情報記録再生装置１Ｂの動作について説明する。なお、予め一押しマクロボタンと所望の番組のタイトル名は対応付けられているものとする。【００５４】
サブＣＰＵ１７３は、操作本体に設けられた一押しマクロボタンの操作信号を検出すると（ステップＳ２１０）、情報記録再生装置１Ｂの装置本体の電源を起動させ、メインＣＰＵ１７１を動作可能とする（ステップＳ２２０）。【００５５】
次に、サブＣＰＵ１７３は、メインＣＰＵ１７１にコンテンツデータを再生する指示と操作された一押しマクロボタンのキー番号を送信する（ステップＳ２３０）。これにより、メインＣＰＵ１７１は、受信したキー番号から、メモリ１７２に記憶された検索キー情報ｄ２０を参照して、再生するテレビ放送番組のタイトル名を決定し、当該タイトル名を有する未再生の最新のコンテンツデータをＨＤＤ１５０から探し出し、再生する（ステップＳ２４０）。【００５６】
従って、本実施の形態に係る情報記録再生装置１Ｂによれば、リモコンがなくても、第１の実施の形態と同一の効果を有することができる。また、一押しマクロボタンを装置本体に目立つ形態で配置すれば（例えば、ボタンの大きさを大きくし、装置前面の操作しやすい場所に配置する）、成人のみならず、幼児も操作可能であり、簡単に所望の番組を視聴することができる（例えば、一押しマクロボタンに幼児が好きな児童向け番組を割り当てておけば、保護者がわざわざ一連の再生操作をする必要がない）。すなわち、より幅広い層のユーザに対して、本発明を適用することができる。【００５７】
以上から、本発明の一実施形態に係る情報記録再生装置は、リモートコントロール端末からの操作指示によって制御可能な情報記録再生装置であって、所望のコンテンツデータの番組情報を、前記リモートコントロール端末に設けられた所定のキーと対応付けて登録する番組情報登録手段と、前記番組情報登録手段により登録されたコンテンツデータの番組情報に従って、前記所望のコンテンツデータを記録媒体に記録するデータ記録手段と、装置本体の電源がオフのときに、前記所定のキーが操作された旨の信号を前記リモートコントロール端末から受信した場合には、前記所定のキーに対応付けられたコンテンツデータを前記記録媒体から検索し、再生するデータ再生手段と、を有するので、簡単な操作で所望の番組の再生することができる。【００５８】
また、本発明の別の実施形態に係る情報記録再生装置は、所望のコンテンツデータの番組情報を、装置本体に設けられた所定のボタンと対応付けて登録する番組情報登録手段と、前記番組情報登録手段により登録されたコンテンツデータの番組情報に従って、前記所望のコンテンツデータを記録媒体に記録するデータ記録手段と、前記装置本体の電源がオフのときに、前記所定のボタンが操作された旨の信号を検知した場合には、前記所定のボタンに対応付けられた、未再生の最新のコンテンツデータを前記記録媒体から検索し、再生するデータ再生手段と、を有するので、簡単な操作で所望の番組の再生することができる。
【図１】
0004695689.tif 000002
【図２】
0004695689.tif 000003
【図３】
0004695689.tif 000004
【図４】
0004695689.tif 000005
【図５】
0004695689.tif 000006
【図６】
0004695689.tif 000007
【図７】
0004695689.tif 000008